【事件の表示】
　特許第３０５７８１２号「パチンコ機における制御ユニット」の請求項１に係る特許に対する特許異議の申立てについて、次のとおり決定する。
【結　論】
　訂正を認める。
　特許第３０５７８１２号の請求項１に係る特許を取り消す。
【理　由】
一、手続の経緯
　特許第３０５７８１２号に係る発明は、平成３年５月２０日に出願された特願平３−１４５６５６号の特許出願に係り、平成１２年４月２１日にその発明についての特許の設定登録がなされ、その後、その特許について、特許異議申立人鈴木暁子（以下、「申立人」という。）より特許異議の申立てがなされ、平成１３年６月７日付けで取消理由通知がなされ、その指定期間内である平成１３年８月８日に訂正請求がなされたものである。
　
二、訂正の適否についての判断
（１）訂正の内容　
　特許権者の求めている訂正の内容は、次のとおりである。
［訂正事項ａ］
　特許明細書の特許請求の範囲の欄の
　「【請求項１】パチンコ機の裏面に装着され遊技内容を制御する制御ユニットの収納ケースの内部には、遊技内容を制御するＣＰＵやＲＯＭ等の電子部品を組み込んだプリント基板が設けられると共に、このプリント基板には前記パチンコ機の動作など関する情報を表示する表示器も併せて組み込まれ、さらに前記収納ケースには前記表示器に表示される情報を外部から観察するために透視可能な観察手段が設けられていることを特徴とするパチンコ機における制御ユニット。」
の記載を、
　「【請求項１】パチンコ機の裏面に装着され遊技内容を制御する制御ユニットの収納ケースの内部には、遊技内容を制御するＣＰＵやＲＯＭ等の電子部品を組み込んだプリント基板が設けられると共に、このプリント基板には前記パチンコ機の動作など
に
当該パチンコ機の確認のための
と訂正する。
　
［訂正事項ｂ］
　特許明細書の発明の詳細な説明の段落【０００５】の
　「【課題を解決するための手段】上述した課題を解決するために、この発明では、パチンコ機の裏面に装着され遊技内容を制御する制御ユニットの収納ケースの内部には、遊技内容を制御するＣＰＵやＲＯＭ等の電子部品を組み込んだプリント基板が設けられると共に、このプリント基板には前記パチンコ機の動作など関する情報を表示する表示器も併せて組み込まれ、さらに前記収納ケースには前記表示器に表示される情報を外部から観察するために透視可能な観察手段が設けられていることを特徴とするものである。」
の記載を、
　「【課題を解決するための手段】上述した課題を解決するために、この発明では、パチンコ機の裏面に装着され遊技内容を制御する制御ユニットの収納ケースの内部には、遊技内容を制御するＣＰＵやＲＯＭ等の電子部品を組み込んだプリント基板が設けられると共に、このプリント基板には前記パチンコ機の動作など
に
当該パチンコ機の確認のための
と訂正する。
　
（２）訂正の目的の適否、新規事項の有無及び拡張・変更の存否
  前記訂正事項ａの「・・・動作など関する」を「・・・動作など
に
当該パチンコ機の確認のための
　そして、いずれの訂正事項も、願書に添付した明細書又は図面に記載した事項の範囲内のものであって、実質上特許請求の範囲を拡張、又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項の規定において準用する平成６年改正法による改正前の特許法第１２６条第１項ただし書き及び第２項の訂正に関する規定に適合するので、当該訂正を認める。
　
三、特許異議の申立てについての判断
１．本件発明
　上記「二、訂正の適否についての判断」の欄に示したように上記訂正が認められるから、本件の請求項１に係る発明（以下、これを「本件発明」という。）は、上記訂正に係る訂正明細書の特許請求の範囲の請求項１に記載された次の事項により特定されるとおりのものである（上記「二、訂正の適否についての判断」の欄の「（１）訂正の内容」の［訂正事項ａ］を参照）。
　「【請求項１】パチンコ機の裏面に装着され遊技内容を制御する制御ユニットの収納ケースの内部には、遊技内容を制御するＣＰＵやＲＯＭ等の電子部品を組み込んだプリント基板が設けられると共に、このプリント基板には前記パチンコ機の動作など
に
当該パチンコ機の確認のための
　
２．引用刊行物及び各引用刊行物に記載の発明
  当審が平成１３年６月７日付けで通知した取消理由には、本件発明の特許出願前に頒布された次の刊行物１ないし刊行物７を引用した。
　刊行物１［特開平２−１２８７８０号公報（申立人提出の甲第１号証）］には、弾球遊技機に関する次の事項が記載されている。
　「また、機構板２９の裏面には、制御回路基板を収納する制御基板ボックス５０が着脱自在に取り付けられ、この制御回路基板には、後述する制御回路が含まれている。ここで、制御基板ボックス５０の構成について第１図を参照して説明する。この制御基板ボックス５０は、直方体形状の金属製の基板ボックス本体５１の内部に後述するマイクロコンピュータ１００を含む制御基板（図示しない）が収納されている。」（４頁右上欄７行〜１５行）
　「更に、基板ボックス本体５１の後面には、開口５４が開設され、該開口５４を被覆するように開閉蓋５５が開閉自在に設けられている。開閉蓋５５には、施錠機構５６が設けられ、該施錠装置５６を鍵５７で開錠することにより開放できるようになっている。開閉蓋５５の内部には、この実施例の要部である可変入賞装置７０の所定回数（１８回）における可動部材７７ａ、７７ｂの第１の状態となっている合計時間を変更するための構成が収納されている。すなわち、合計時間の設定を変更するための時間設定操作手段としての開成時間設定スイッチ５８が設けられている。」（４頁左下欄３行〜１５行）
　「また、開成時間設定スイッチ５８の一側には、選択した設定値を数字で表示するための表示器が設けられている。」（４頁右下欄３行〜５行）
　「また、開成時間設定スイッチ５８の下方には、始動回数表示器６１が設けられている。この始動回数表示器６１は、前記始動入賞口１４，１５ａ，１５ｂに入賞した打玉の入賞個数を表示するもので、リセットされた時点では、予め定められた一定数（例えば、１０００）を表示し、前記始動入賞玉検出スイッチ２６，２７ａ，２７ｂからの検出信号がある毎に「１」づつ減算される。」（５頁左上欄５行〜１２行）
　「以上、説明してきた実施例の制御について第５図に基づいて説明する。第５図は制御回路構成ブロック図である。図において、制御回路は制御中枢としてのマイクロコンピュータ１００を含む。マイクロコンピュータ１００は以下に述べるようなパチンコ遊技機１の全体の動作を制御する機能を有する。このために、マイクロコンピュータ１００は、たとえば、数チップのＬＳＩで構成されており、その中には制御動作を所定の手順で実行することのできるＭＰＵ１０１と、ＭＰＵ１０１の動作プログラムデータを格納するＲＯＭ１０２と、必要なデータの書込みおよび読出しができるＲＡＭ１０３とを含む。」（６頁左下欄９行〜６頁右下欄１行）
　
　刊行物２［実願昭５２−１４３３９８号（実開昭５４−７０３６４号公報）の願書に添付した明細書及び図面の内容を撮影したマイクロフィルム（申立人提出の甲第２号証）］には、配線基板に対する半導体集積回路の実装構造に関する次の事項が記載されている。
　「第１図ないし第３図はこの考案に係る配線基板に対する半導体集積回路の実装構造を液晶デイジタルクロックに適用した場合の一実施例を示す構成図である。まず第１図において、配線基板１面には液晶表示パネル２，酸化銀電池３，水晶発振子４，およびモールドフラットパッケージ型ＬＳＩ５が搭載されている。前記液晶表示パネル２は、この液晶表示パネル２の裏面に形成された端子群領域の各端子と前記配線基板１の表面に形成された端子群領域の各端子とがそれぞれ接続された状態で、表示パネルホルダー２ａによって配線基板１に固定されている。また前記配線基板１の上面のモールドフラットパッケージ型ＬＳＩ５の搭載部には前記モールドフラットパッケージ型ＬＳＩ５の各端子とそれぞれ接続すべき各端子からなる端子群領域６を有する。」（２頁２０行〜３頁１５行）
　「この実施例では液晶デイジタルクロックにおけるモールドフラットパッケージ型ＬＳＩ５の実装について述べたが、一般の配線基盤にモールドフラットパッケージ型ＬＳＩを実装する場合に応用できることはいうまでもなく、またモールドフラットパッケージ型ＬＳＩに限定されず半導体集積回路全てを実装する場合に応用できる。以上述べたように、この考案の係る配線基板に対する半導体集積回路の実装構造によれば、信頼性に優れ、かつ製造工程を容易にすることができる。」（６頁５行〜１５行）
　
　刊行物３［実願昭４８−１０２３１９号（実開昭５０−５１５８４号公報）の願書に添付した明細書及び図面の内容を撮影したマイクロフィルム（申立人提出の甲第３号証）］には、液晶デバイス付プリント基板に関する次の事項が記載されている。
　「以下、本考案の一実施例を第３図〜第５図にもとついて説明する。図中１はプリント基板で、このプリント基板１の長手方向一端部には矩形状の透孔からなる液晶デバイス挿入孔２が設けられている。また、この挿入孔２内には両側端縁に嵌着されたコネクター８，３を介して液晶デバイス４が圧入固定されている。」（３頁３行〜１０行）
　「そして、これら接続孔１６・・・，１７・・・および接続満１８・・・内に充填したインジウム等の導電性接着剤１９によって上記液晶デバイス４の個々のデバイス端子１８・・・とこれらに対応するプリント基板端子１４・・・とを電気的に接続し、液晶デバイス付プリント基板を構成している。」（５頁５行〜１０行）
　「したがって、従来のように引出し端子を用いたむかで方式のものと比較して、スペース効率が向上し、しかも液晶デバイスを容易かつ確実に取付けることができ作業性の向上が図れるとともに引出し端子等の部品減少による製造原価の低減が図れる。また、接続個所が１個所に減り信頼性が向上するとともに、接続不良の補修が容易に行なえる。さらに、液晶デバイスをプリント基板に設けられた液晶デバイス挿入孔内に挿入するようにしたから、プリント基板の厚さだけ薄形になるといった大なる実用的効果を奏する。」（７頁３行〜１４行）
　
　刊行物４［実願昭６１−１６４２９０号（実開昭６３−７０５８４号公報）の願書に添付した明細書及び図面の内容を撮影したマイクロフィルム（申立人提出の甲第４号証）］には、表示装置のプリント基板取付け構造に関する次の事項が記載されている。
　「図中、表示装置１の表面に文字表示を行うディスプレイ部１ｂはプリント基板２へ形成されているパターン面２ｂから見える様に取付けられているため、表示装置１に形成されている端子１ａを１８０°逆方向に折り曲げ、プリント基板２へ設けられている基板穴７に挿入し、基板ランドと端子１ａを半田加工３する。その後、ディスプレイ部１ｂがプリント基板２を通して見えるようプリント基板２に割り取り加工を行うと表示窓２ａが形成されディスプレイ部ｌｂの前面より表示文字が見えるようになる。なお、セット６に表示装置を取付けた構造は第２図へ示し、パネル５の窓部５ａディスプレイ部１ｂとの間隔Ａを最短距離にすることができる。」（３頁２０行〜４頁１３行）
　
　刊行物５［特開平２−１４２５８０号公報（申立人提出の甲第５号証）］には、パチンコ機に関する次の事項が記載されている。
　「制御装置８７は、第１５図〜第１７図に示すようにマイクロコンピュータにて構成されるもので、所定の基板（プリント基板）８８上にＩＣ、ＬＣＩ、トラジスタ、ダイオード、抵抗、コンデンサ等の多数の電気部品が配列、接続されると共に、上蓋８９と下蓋９０とからなるケース９１に収納、支持されるが、この場合基板８８上の電気部品が定電圧制御ＩＣ９２等により所定の電圧を供給する電源部９３と、ＣＰＵ９４、ＲＯＭ９５、ＲＡＭ９６、入出力コントローラ９７等からなる論理回路部９８と、ドライバ９９〜１０１等からなる入出力変換部１０２と、各電気機器をつなぐコネクタ１０３等の接続端子部１０４に画成して配列され、かつ基板８８の片側から順に電源部９３、論理回路部９８、入出力変換部１０２、接続端子部１０４となるように形成される。ケース９１の上蓋８９は、金属製からなる筐枠状のもので、基板８８片側の接続端子部１０４を除いて電源部９３、論理回路部９８、入出力変換部１０２で覆う大きさに形成され、蓋表面には中央に内部を透視可能にクリアプレート１０５を取り付けた可視窓１０６が形成され、内部の封印状態が確認されるようになっている。」（４頁右上欄１６行〜４頁左下欄１８行）
　
　刊行物６［特開昭６４−１７６７７号公報（申立人提出の甲第６号証）］には、遊技機における制御回路基板の保護カバーに関する次の事項が記載されている。
　「次に上記した制御回路基板７１を収納する保護カバー５０について、第１図及び第２図に基づいて説明する。保護カバー５０は、制御回路基板７１を固定する固定カバー５１と、該固定カバー５１を覆う被覆カバー６３とから成っており、それぞれ金属製のプレートをプレス成型にて形成したものである。」（４頁右上欄１７行〜４頁左下欄３行）
「特に表板６４に形成される通気孔７０は外部からＲＯＭやＣＰＵの番号、あるいはそれらに封印紙が貼付してある場合は封印紙の番号等が透視できるような位置に形成されるのが好ましい。」（５頁左上欄１６行〜１９行）
　
　刊行物７［実願昭６２−１４０１４号（実開昭６３−１２２４６９号公報）の願書に添付した明細書及び図面の内容を撮影したマイクロフィルム（申立人提出の甲第７号証）］には、パチンコ遊技機に関する次の事項が記載されている。
　「第１図は本考案の１実施例であるパチンコ遊技機の制御部の拡大斜視図である。第１図において、制御部３は後述する封印紙が貼られたＣＰＵやＲＯＭ等の電子部品と、その電子部品が配置されているプリント基板１０と、電子部品やプリント基板を収納する上部蓋１１ａと底板１１ｂとを有するケース１１とを含む。１２はケース１１内部のプリント基板１０に配置されたＣＰＵやＲＯＭ等に貼られた封印紙の異状の有無や封印番号を検査するために上部蓋１１ａに設けられた透明な観察窓である。」（６頁９行〜１９行）
　
３．当審の判断
（１）対比及び一致点・相違点
  本件発明と刊行物１に記載の発明とを対比すると、刊行物１に記載の発明の「制御基板ボックス５０」「基板ボックス本体５１」「ＭＰＵ１０１、ＲＯＭ１０２、ＲＡＭ１０３」「基板ボックス本体５１の内部に収納されるマイクロコンピュータ１００を含む制御基板」「弾球遊技機」が、それぞれ本件発明の「制御ユニット」「収納ケース」「遊技内容を制御するＣＰＵやＲＯＭ等の電子部品」「プリント基板」「パチンコ機」に相当する。
　また、刊行物１に記載の発明の「始動回数表示器６１」は、「始動入賞口１４、１５ａ、１５ｂに入賞した打玉の入賞個数」の情報を表示するものであり、その表示される情報は、本件特許明細書の段落【０００２】に例示されている「遊技球の数や入賞した回数、入賞装置の開放回数などのパチンコ機の動作に関するデータ」等の本件発明の表示器が表示する「パチンコ機の動作などに関する当該パチンコ機の確認のための情報」と同様の情報であるから、刊行物１に記載の発明の前記「始動回数表示器６１」は、本件発明の「パチンコ機の動作などに関する当該パチンコ機の確認のための情報を表示する表示器」に相当するものということができる。
　そうしてみると、両者は「パチンコ機の裏面に装着され遊技内容を制御する制御ユニットの収納ケースの内部には、遊技内容を制御するＣＰＵやＲＯＭ等の電子部品を組み込んだプリント基板が設けられると共に、前記パチンコ機の動作などに関する当該パチンコ機の確認のための情報を表示する表示器が組み込まれているパチンコ機における制御ユニット」である点で一致し、次の点で構成が相違する。
　相違点１：本件発明の表示器が「このプリント基板に併せて組み込まれ」ているのに対し、刊行物１に記載の発明の表示器は、そのようになっているか否か不明である点。
　相違点２：本件発明では、「収納ケースには前記表示器に表示される情報を外部から観察するために透視可能な観察手段が設けられている」のに対し、刊行物１に記載の発明では、開口５４に開閉自在な開閉蓋５５が設けられていて、透視可能ではない点。
　
（２）相違点についての判断
　ａ．相違点１について
　刊行物２に「配線基板１面には液晶表示パネル２，酸化銀電池３，水晶発振子４，およびモールドフラットパッケージ型ＬＳＩ５が搭載されている。前記液晶表示パネル２は、この液晶表示パネル２の裏面に形成された端子群領域の各端子と前記配線基板１の表面に形成された端子群領域の各端子とがそれぞれ接続された状態で、表示パネルホルダー２ａによって配線基板１に固定されている。」と記載され、刊行物３にも「導電性接着剤１９によって上記液晶デバイス４の個々のデバイス端子１８・・・とこれらに対応するプリント基板端子１４・・・とを電気的に接続し、液晶デバイス付プリント基板を構成している。」と記載され、そして刊行物４には「表示装置１の表面に文字表示を行うディスプレイ部１ｂはプリント基板２へ形成されているパターン面２ｂから見える様に取付けられている」と記載されていることは、前記「２．引用刊行物及び各引用刊行物に記載の発明」の欄に前述したとおりである。
　そうしてみると、刊行物２ないし刊行物４の上記記載からみて、ＲＯＭ等と表示器をプリント基板に併せて組み込むようにすることは、本件発明の出願時の周知技術であるということができるから、刊行物１に記載の発明に前記周知技術を適用することにより上記相違点１に係る構成を得ることは、当業者が容易に想到できることである。
　
　ｂ．相違点２について
　刊行物５ないし刊行物７に、それぞれ「ケース９１の上蓋８９は、金属製からなる筐枠状のもので、基板８８片側の接続端子部１０４を除いて電源部９３、論理回路部９８、入出力変換部１０２で覆う大きさに形成され、蓋表面には中央に内部を透視可能にクリアプレート１０５を取り付けた可視窓１０６が形成され、内部の封印状態が確認されるようになっている。」、「表板６４に形成される通気孔７０は外部からＲＯＭやＣＰＵの番号、あるいはそれらに封印紙が貼付してある場合は封印紙の番号等が透視できるような位置に形成される」及び「１２はケース１１内部のプリント基板１０に配置されたＣＰＵやＲＯＭ等に貼られた封印紙の異状の有無や封印番号を検査するために上部蓋１１ａに設けられた透明な観察窓である。」と記載されていることは、前記「２．引用刊行物及び各引用刊行物に記載の発明」の欄に前述したとおりであり、刊行物５ないし刊行物７の上記記載からみて、収納ケース内の情報を外部から観察するための観察手段を透視可能とすることは、本件特許出願時の周知技術ということができる。
　そして、刊行物１及び刊行物５ないし刊行物７に記載の発明は同じ技術分野のものであるから、刊行物１に記載の発明において、刊行物５ないし刊行物７に記載のような周知技術である透視可能な観察手段を設けることは、当業者にとって格別の困難を要することではなく、前記周知技術を刊行物１に記載の発明に適用して上記相違点２に係る構成を得ることは、当業者が容易に想到できることである。
　そして、本件発明の相違点２の作用効果も、前記周知技術の透視可能な観察手段が奏する作用効果にとどまり、格別の作用効果を奏するものでもない。
　
（３）まとめ
　そうすると、本件発明は、上記刊行物１に記載の発明及び周知技術に基いて当業者が容易に発明をすることができたものであるから、特許法第２９条第２項の規定により特許を受けることができない。
　
４．むすび
　以上のとおりであるから、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年８月２８日（２００１．８．２８）
【訂正の要旨】
訂正の要旨
　審決（決定）の【理由】欄参照。
（５４）【発明の名称】
パチンコ機における制御ユニット
（５７）【特許請求の範囲】
　【請求項１】　パチンコ機の裏面に装着され遊技内容を制御する制御ユニットの収納ケースの内部には、遊技内容を制御するＣＰＵやＲＯＭ等の電子部品を組み込んだプリント基板が設けられると共に、このプリント基板には前記パチンコ機の動作など
に関する当該パチンコ機の確認のための
【発明の詳細な説明】
　【０００１】
　【産業上の利用分野】
　この発明はパチンコ機における制御ユニットに関する。
　【０００２】
　【従来の技術】
　例えばデジタルタイプと呼ばれるパチンコ機では、遊技球が特定の入賞口に入賞すると遊技盤上に配置されている可変表示装置に表示される数字等を可変表示するように制御している。そして、可変表示された数字等が停止した際に特定の組み合わせが得られると、遊技者に一定の利益を与えるべく入賞装置が開動作や開閉動作を繰り返すように制御している。そしてパチンコ遊技ホール側では管理上遊技球の数や入賞した回数、入賞装置の開放回数などのパチンコ機の動作に関するデータをチェックする必要がある。このため、従来のパチンコ遊技ホールでは、各パチンコ機の動作に関するデータをホールの管理室に設置したホールコンピュータにより監視するようにしている。この監視されたデータを知りたいときには記録紙に打ち出し、打ち出されたデータによりチェックできるようにしている。
　【０００３】
　【発明が解決しようとする課題】
　しかし、これではある時点、時点において特定のパチンコ機のデータをチェックしたい場合であっても、データを取り出すためにホールコンピュータを操作して記録紙に打ち出す必要があり、面倒で有るばかりか、この面倒さのためにチェックがおろそかになるという課題を有していた。
　【０００４】
　この発明の目的は各パチンコ機にデータを表示して、容易にしかも遊技者に分からないようにデータのチェックをできるようにすることである。
　【０００５】
　【課題を解決するための手段】
　上述した課題を解決するために、この発明では、パチンコ機の裏面に装着され遊技内容を制御する制御ユニットの収納ケースの内部には、遊技内容を制御するＣＰＵやＲＯＭ等の電子部品を組み込んだプリント基板が設けられると共に、このプリント基板には前記パチンコ機の動作など
に関する当該パチンコ機の確認のための
　【０００６】
　【作用】
　この発明では上述した構成とされているので、例えば始動口への入賞があった旨、あるいは可変表示装置に特定の組合せが得られた旨等の信号が制御ユニットに入力されると、これらの信号に基づき表示器にその旨表示する。そして表示器に表示された情報は収納ケースに設けられた観察手段により外部から観察される。
　【０００７】
　【実施例】
　以下、この発明の一実施例を図１から図５に基づいて詳細に説明する。
　【０００８】
　図３はこの実施例のパチンコ機１の正面図であって、パチンコ機１の前面には払い出された景品球を貯留し、かつ発射位置に打球を供給する上皿２が取付けられ、この上皿２の下方には上皿２に供給しきれなかった景品球を貯留する下皿３が取付けられている。また、弾発力を調整しながらパチンコ球を遊技盤４上へ打ち込むための操作ハンドル５が取付けられている。
　【０００９】
　遊技盤４上の中央にはセグメント型の可変表示装置６が配置されている。この可変表示装置６は始動口７〜９への入賞によって発信される入賞球検出信号によって特定の識別表示（数字の０〜９）をしてその表示内容を変化させるものである。また、遊技盤４上には始動口７〜９の他、入賞があっても可変表示装置６の表示を変化させることなく、景品球の払い出しのみを行う普通入賞口１０〜１２、さらには入賞しなかったパチンコ球を回収するためのアウト口１３が配置されている。さらに、遊技盤４の下部には大入賞口１４が配置されている。この大入賞口１４は可変表示装置６の表示内容が変動した後停止した際に、特定の態様が表示されている場合には、ソレノイド５２（図５参照）の作用によって一定時間開放状態が継続する、いわゆる大当たり状態となるように構成されている。この大当たりの内容は、大入賞口１４が３０秒間経過するまで開放するか、あるいはそれ以前に１０個の入賞球が発生するか、のいずれか早く満たす条件により終了するようになっているが、この間に大入賞口１４の内部に設けられたＶ入賞口１５への入賞があると、再度大入賞口１４が３０秒間または１０個の入賞球が発生するまで開放し、このような動作がＶ入賞口１５へ入賞する限り、１６回を限度として繰り返すことができるようになっている。
　【００１０】
　さらにまた、遊技盤４には始動口７〜９への入賞に伴って点滅する動作ランプ１６、Ｖ入賞口１５への入賞に伴って点滅するＶランプ１７が設けられている。
　【００１１】
　図４はこの実施例のパチンコ機１の裏面の概略を示し、機枠１８の上部には図示しない補給用ホッパから補給されるパチンコ球を景品球として貯溜する景品球タンク１９が配置されている。また、機枠１８の下部には操作ハンドル５の操作により作動して遊技球を発射させるための発射用モータ２０が配置されている。また機枠１８の略中央部には上述した始動口７〜９への入賞により可変表示装置６を変化させたり、大当たり状態を開始するなどのパチンコ機の遊戯内容を制御する制御ユニット２２が取付けられている。
　【００１２】
　図１，図２に示されているように、制御ユニット２２は収納ケース２５内にプリント基板２３が収納されているもので、プリント基板２３にはパチンコ機の遊戯内容を制御するためのＣＰＵやＲＯＭ等の電子部品が配置されている（図１，２ではこれら電子部品を省略して示している。）。また、プリント基板２３にはこれら電子部品の他、表示器２４が組み込まれている。表示器２４はパチンコ機の動作に関する情報などを表示するものであって、この実施例では、図２に示されるように、大当たり回数を表示する大当り回数表示器２６と、スタート入力した回数を表示する始動回数表示器２７と、遊技球が各始動口７〜９へ入賞するにともなってそれぞれに対応して点滅するモニタランプ２８〜３０とが設けられている。この大当り回数表示器２６及び始動回数表示器２７は共に７セグメントのＬＥＤにより構成されたものが使用されている。
　【００１３】
　収納ケース２５はパチンコ機１の裏面に取着される底板３１とこの底板３１のほぼ全面を覆うカバー３２とにより構成され、底板３１とカバー３２との間を封印紙３３により封印して電子部品が改造されることによる不正を防止している。また、収納ケース２５は導電性のカーボンを含む樹脂または金属板の不透明なケースとされ、収納している電子部品を外部ノイズからシールドしている。さらにカバー３２の上面には大当り回数表示器２６及び始動回数表示器２７に表わされている表示を読取るための観察窓３４が形成されている。この観察窓３４はカバー３２の上面を適当範囲にわたって開口し、この開口部分を透明の樹脂板で覆って構成されており、これにより表示器２４の表示内容が外部から視認される。
　【００１４】
　プリント基板２３は、図５に示されるように、デジタル演算処理を行うＣＰＵ４０と、プログラムおよび各アドレスごとに例えば３桁の乱数表が記憶されたＲＯＭ４１と、ここから読み出された乱数を一時記憶するなどの演算処理の結果を記憶するＲＡＭ４２等を主要部とするマイクロコンピュータにより構成されている。
　【００１５】
　そして、マイクロコンピュータの入力ポート側には始動口７〜９における入賞球を検出する始動入賞検出スイッチ４３、大入賞口１４における入賞球を検出する大入賞検出スイッチ４４、Ｖ入賞検出スイッチ４５が、チャタリングを防止するためのフリップフロップからなる波形整形回路４６を介して接続されている。
　【００１６】
　クロック発生回路４７は分周器４８を介して外部割り込み信号をＣＰＵ４０へ出力しており、マイクロコンピュータはその外部割り込み信号に同期してＲＯＭ４１に格納されているメインプログラムを実行する。また、電源スイッチをオンにすると、リセット信号発生回路５０からのリセット信号がマイクロコンピュータに入力し、これにより初期プログラムが起動され、可変表示装置６に表示する３桁の数値レジスタを初期値に設定する等の処理が行われる。
　【００１７】
　また、マイクロコンピュータの出力ポート側にはドライバ５１が接続されており、このドライバ５１はマイクロコンピュータからの指令に従って大入賞口１４を開閉させるソレノイド５２を駆動し、かつ動作ランプ１６、Ｖランプ１７の点灯動作を制御する。さらに出力ポート側には駆動回路５３、選択回路５４が接続され、両回路５３，５４には前述した可変表示装置６、大当り回数表示器２６及び始動回数表示器２７、各モニタランプ２８〜３０がそれぞれ接続されている。そして、これらはマイクロコンピュータからの選択データと、表示データとを一定周期で出力することにより、ダイナミック駆動される。すなわち、選択回路５４により可変表示装置６、大当り回数表示器２６及び始動回数表示器２７に対するそれぞれの表示単位が選択され、そのときの駆動回路５３の出力信号に応じてこれらの表示が行われる。
　【００１８】
　この実施例では上述したように構成されているため、遊技盤４上に打ち出されたパチンコ球がいずれかの始動口７〜９に入賞すると、その都度始動入賞検出スイッチ４３から入賞球検出信号が発信され、波形整形回路４６を介してマイクロコンピュータへ入力される。この結果、マイクロコンピュータからの指令に基づき選択回路５４、駆動回路５３を介して始動回数表示器２７に入賞回数が表示される。
　【００１９】
　また、始動入賞検出信号によってＣＰＵ４０は可変表示装置６の表示内容を変動させ、停止時に特定の組み合わせが得られていることが判断されると前述した大当り状態が実現されるとともに、この結果、大当り回数表示器２６に１カウントの増加表示を行なう。このため、このような状況がいちいちホールコンピュータの設置されている管理室まで行くことなく、各パチンコ機１においてチェックできる。
　【００２０】
　また、この実施例の場合にはプリント基板２３に表示器２４を組込んで既設の収納ケース２５に収納するようにしたため、表示器２４との間を外部結線する必要がなく、コンパクトに配置できる。
　【００２１】
　なお、この実施例では、プリント基板２３に大当たり回数表示器２６、始動回数表示器２７及びモニタランプ２８〜３０よりなる表示器２４を組込んだ例を示したが、表示器２４に表示されるものはこれら情報に限ることなく、例えば発射球、アウト球、セイフ球の球数表示の外部球信号などの他の情報も表示器２４に切換え表示させてもよい。
　【００２２】
　また、この実施例ではプリント基板２３の略中央に表示器２４を設け、これに対応して大きな観察窓３４をカバー３２に設けた例を示しているが、観察窓３４は表示器２４に表示された情報が外部から観察できればよく、表示部２４に対応してその大きさや取付位置を適宜選択できる。
　【００２３】
　【発明の効果】
　この発明は、パチンコ機の裏面に装着される遊技内容を制御する制御ユニットの収納ケースの内部にパチンコ機の動作などに関する情報を表示する表示器を組込むとともに、収納ケースに表示器に表示される情報を外部から観察するために透視可能な観察手段を設けているので、各パチンコ機毎により該パチンコ機の動作などに関する情報を知ることができる。また、表示器はプリント基板に組み込まれるため、表示器との間は外部結線を必要とされない。
　【００２４】
　また、パチンコ機の工場からパチンコ機を出荷する前に制御ユニットが正常に作動するか否かをテストする動作テストが行われているが、この発明では制御ユニットに表示器が配置されて必要な表示がなされるので、動作テスト用のモニターに接続することなく容易に動作テストを行なうことができる。
【図面の簡単な説明】
　【図１】制御ユニットの拡大斜視図である。
　【図２】制御ユニットの正面図である。
　【図３】パチンコ機の正面図である。
　【図４】制御ユニットの取付状態を示すパチンコ機の概略裏面図である。
　【図５】パチンコ機の電気的な構成を示すブロックダイヤグラムである。
　【符号の説明】
　１…パチンコ機
　２２…制御ユニット
　２４…表示器
　２５…収納ケース
　３４…観察窓